(57)【要約】【課題】メンテナンス性を向上する。【解決手段】本体と、空気を吸い込む開口部と、吹出口と、吹出口から吹き出される空気の向きを変更する風向変更羽根と、開口部を開閉する前面パネルと、運転状況を表示する表示部と、表示部を覆うカバー部材と、を備え、カバー部材は一端側が前記本体に軸支されることで、カバー部材を取り外さない状態でもカバー部材の他端側が開口するようにしたことによりメンテナンス性を向上することができる。【選択図】図３
2015155788.tif 000002
【特許請求の範囲】
【請求項１】
本体と、空気を吸い込む開口部と、吹出口と、前記吹出口から吹き出される空気の向きを変更する風向変更羽根と、前記開口部を開閉する前面パネルと、運転状況を表示する表示部と、前記表示部を覆うカバー部材と、を備え、
前記カバー部材は一端側が前記本体に軸支されることで、前記カバー部材を取り外さない状態でも前記カバー部材の他端側が開口するようにしたことを特徴とする空気調和機。
【請求項２】
前記カバー部材の下方の前記本体に段差部を設けたことを特徴とする請求項１に記載の空気調和機。
【請求項３】
前記カバー部材は、所定の位置で前記段差部に接するようにし、前記カバー部材が前記所定の位置で保持されるようにした請求項２に記載の空気調和機。
【請求項４】
前記表示部に設けられた電気部品は前記カバー部材に保持されるとともに、前記電気部品と前記本体に設けられた制御装置とを接続するリード線を、前記カバー部材を前記本体に軸支する軸部内を通したことを特徴とする請求項１に記載の空気調和機。
【請求項５】
前記軸部が挿入される軸受部を備え、
前記軸部と前記軸受部にはそれぞれスリット状の開口部を設け、前記カバー部材の他端側が開口する状態では、それぞれの開口部は連通し、前記カバー部材の他端側を開口しない状態では、それぞれの開口部は連通しないことを特徴とする請求項４に記載の空気調和機。
【請求項６】
前記軸受部の開口部と連通する穴部を備え、前記穴部は前記軸受部の径より大きいことを特徴とする請求項５に記載の空気調和機。
【請求項７】
前記カバー部材は側壁を備え、前記カバー部材の他端側を開口しない状態では、前記側壁が前記穴部を塞ぐことを特徴とする請求項６に記載の空気調和機。
【請求項８】
前記カバー部材に設けられた爪部と、前記本体の前記爪部に相対する位置に設けられた爪受部との係合をはずすことで、前記カバー部材の他端側が開口することを特徴とする請求項１に記載の空気調和機。
【請求項９】
前記本体は、エアフィルタを清掃するための清掃装置を備え、
前記カバー部材の後方に、前記清掃装置に接続されるダクトを配置したことを特徴とする請求項１から３のいずれか一項に記載の空気調和機。
【発明の詳細な説明】
【技術分野】
【０００１】
本発明は、室内の空調を行うための空気調和機に関する。
【背景技術】
【０００２】
一般家庭で使用される空気調和機においては、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。このように構成された室内機は、室内の壁面等に設置されて、室内が所望の温度となるよう空調動作が行われる。室外機と室内機は、冷媒配管と制御用配線で互いに機械的及び電気的に接続されており、互いに協働して空調動作を行っている。
【０００３】
ところで、室内機は室内において、塵埃が多く発生する場所に設置されることが多く、さらに季節をまたがって長期間使用することが多いため、メンテナンス等をどのように施すかが重要となる。
【０００４】
従来の空気調和機におけるメンテナンスを行う際の構成としては、例えば、図１５に示すように、フックを外すことで前面カバー全体を外すことでメンテナンスを行うように構成したものがある（特許文献１参照）。
【先行技術文献】
【特許文献】
【０００５】
【特許文献１】特開２００５−１３３９９８号公報
【発明の概要】
【発明が解決しようとする課題】
【０００６】
しかしながら、従来の構成では、フックの作業を天井に近い高い位置で行わなければならず、また、取り付けもフックの穴に合わせて行わなければならず、メンテナンス等の作業が非常に大変であるという課題があった。
【０００７】
そこで、本発明は、カバー部材に工夫を凝らしメンテナンス等の際に必須となるカバーの着脱を容易にして極力これらの作業にかかる負担を軽減するようにした。
【課題を解決するための手段】
【０００８】
前記課題を達成するために、本発明の一態様によれば、本体と、空気を吸い込む開口部と、吹出口と、前記吹出口から吹き出される空気の向きを変更する風向変更羽根と、前記開口部を開閉する前面パネルと、運転状況を表示する表示部と、前記表示部を覆うカバー部材と、を備え、前記カバー部材は一端側が前記本体に軸支されることで、前記カバー部材を取り外さない状態でも前記カバー部材の他端側が開口するようにしたものである。
【発明の効果】
【０００９】
本発明によれば、メンテナンス等にかかる負担を軽減することができる。
【図面の簡単な説明】
【００１０】
【図１】本実施の形態に係る空気調和機における室内機の断面図
【図２】本実施の形態に係る空気調和機の要部の断面拡大図
【図３】空気調和機におけるカバー部材を外した際の断面拡大図
【図４】空気調和機におけるベース部材を取り外した図
【図５】本実施の形態に係る空気調和機における室内機の断面図
【図６】空気調和機における室内機の前面パネルを開いた際の断面図
【図７】空気調和機における室内機のカバー部材を開いた際の断面図
【図８】（ａ）カバー部材を閉じた際の断面拡大図（ｂ）カバー部材を開いた際の断面拡大図
【図９】表示部と接続されるリード線の引き回しを説明するための室内機の正面要部断面図
【図１０】カバー軸付近の正断面拡大図
【図１１】カバー軸付近の側断面拡大図
【図１２】別の実施の形態にかかるカバー軸付近の拡大斜視図
【図１３】別の実施の形態にかかる本体とカバー部材の分解斜視図
【図１４】別の実施の形態にかかる（ａ）カバー部材を開いた際の断面拡大図（ｂ）カバー部材を閉じた際の断面拡大図
【図１５】従来の空気調和機を示す図
【発明を実施するための形態】
【００１１】
本発明の空気調和機は、本体と、空気を吸い込む開口部と、吹出口と、吹出口から吹き出される空気の向きを変更する風向変更羽根と、開口部を開閉する前面パネルと、運転状況を表示する表示部と、表示部を覆うカバー部材と、を備え、カバー部材は一端側が本体に軸支されることで、カバー部材を取り外さない状態でもカバー部材の他端側が開口するようにしたものである。
【００１２】
これにより、カバー部材をわざわざ取り外す必要がないためメンテナンス性が向上する。
【００１３】
また、カバー部材の下方の本体に段差部を設けたものである。
【００１４】
これにより、カバー部材へ直接冷気が吹き付けるのを防止することができるため、露付きを防止することができる。
【００１５】
また、カバー部材は、所定の位置で段差部に接するようにし、カバー部材が所定の位置で保持されるようにしたものである。
【００１６】
これにより、カバー部材を所定の位置で止めることができるため、メンテナンス時等にカバー部材と風向変更羽根とが接触するような事態を防止することが可能となる。
【００１７】
また、表示部に設けられた電気部品はカバー部材に保持されるとともに、電気部品と本体に設けられた制御装置とを接続するリード線を、カバー部材を本体に軸支する軸部内に通したものである。
【００１８】
これにより、カバー部材を開閉する際に、リード線にせん断応力がかかることがないため、リード線が断線することを防止できる。
【００１９】
また、軸部が挿入される軸受部を備え、軸部と軸受部にはそれぞれスリット状の開口部を設け、カバー部材の他端側が開口する状態では、それぞれの開口部は連通し、カバー部材の他端側を開口しない状態では、それぞれの開口部は連通しないものである。
【００２０】
これにより、メンテナンスが必要な際には容易に、リード線を軸部内に着脱できるとともに、不必要にリード線が軸部から脱落することを防止できる。
【００２１】
また、軸受部の開口部と連通する穴部を備え、穴部は軸受部の径より大きいものである。
【００２２】
これにより、リード線の先端に軸受部の内径より大きいコネクタが設けられていても、コネクタは穴部を通すようにすれば、容易にリード線を軸部内に着脱できる。
【００２３】
また、カバー部材は側壁を備え、カバー部材の他端側を開口しない状態では、側壁が穴部を塞ぐものである。
【００２４】
これにより、穴部から粉塵等が侵入することを防止できる。
【００２５】
また、カバー部材に設けられた爪部と、本体の爪部に相対する位置に設けられた爪受部との係合をはずすことで、カバー部材が開口するものである。
【００２６】
これにより、工具等を用いることなくカバー部材を開閉することができるためメンテナンス性が向上する。
【００２７】
また、本体は、本体を清掃するための清掃装置を備え、カバー部材の後方に、清掃装置に接続されるダクトを配置したものである。
【００２８】
これにより、メンテナンス性が困難な清掃装置のダクト部分の交換等も容易にできる。
【００２９】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００３０】
（実施の形態１）
図１は、本実施の形態に係る空気調和機における室内機の断面図を示すものである。図１に示すように、本体１は、内部に熱交換器１３、送風ファン１４を備えている。また、本体１は、上方および前方に開口部２を下方に吹出口３をそれぞれ有しており、開口部２から吸い込んだ空気は熱交換器１３を通過し、吹出口３から室内に送風するように構成されている。開口部２と熱交換器１３との間には、熱交換器１３を通過する空気の粉塵を除去するためにエアフィルタ１５が設けられている。
【００３１】
また、吹出口３には上下風向変更羽根４が備えられており、室内へ送風する際の上下方向の位置を変更することができる。また、さらに本体１は前面には、本体１の前面を覆うように構成される前面パネル５も備えられており、可動時には図１に示すように前方かつ上方にせり出して、空気を本体１の内部に効率よく取り込むように構成されている。
【００３２】
また、前面パネル５は、前面枠５ａに支持されている。前面枠５ａの上端は、本体１の前面上方隅部に設けられたパネル軸５ｂを中心として、本体１に軸支されている。これにより、前面パネル５は前面枠５ａとともに、パネル軸５ｂを中心として上方へ開閉可能となっている。前面パネル５を前面枠５ａとともに開くことで、前面パネル５の背面側に設けられたエアフィルタ１５をメンテナンスすることができる。
【００３３】
また、図２は、本実施の形態に係る空気調和機の要部の断面拡大図である。図２に示すように、本体１は、吹出口３の上方であって前方側に、表示部６が設けられている。表示部６は内部に基板を備えており、本体１の稼働状況を表示したり、リモコンからの電波を受信したりするものである。表示部６はエアフィルタ１５の下端より下側に設けられてい
る。また、表示部６は空気調和機の運転停止時には、前面パネル５の背面側に位置し、前面パネル５の下部に覆われる一方、空気調和機の運転時（図１に示す前面パネルの可動時）には、前面パネル５の下端より下方に位置し、露出するような位置に設けられている。
【００３４】
また、図３は、本発明の特徴となるカバー部材を外した際の断面の拡大図である。図に示すように、カバー部材７は、吹出口３の上面の端部に位置するカバー軸８を中心として、本体側の一端が本体１に軸支されるようにして構成されている。すなわち、カバー部材７を完全に取り外さない状態であっても、カバー部材７の他端側が開口するようにしており、表示部６の内部や背面側に設けられている基板の状況を確認したり、必要であれば交換したりすることができるものである。
【００３５】
なお、図３では、表示部６に用いられる電気部品が配置された基板は、カバー部材７の背面側に保持され、カバー部材７とともにカバー軸８を中心に回転し、表示部６の背面側が露出するように構成されているが、基板は本体側に保持され、カバー部材７のみがカバー軸８を中心に回転し、基板の前面側が露出するように構成されていてもよい。
【００３６】
本実施の形態では、カバー部材７は、下端側が本体１に軸支されているため、カバー部材７は、前方かつ下方へ開閉可能となっている。前面パネル５を前面枠５ａとともに上方に開き、カバー部材７を下方に開くことで、吹出口３の上部から本体１の前面上方までを開口することができ、エアフィルタ１５や表示部６等をメンテナンスすることが容易になる。
【００３７】
また、さらに、カバー部材７の下方の本体１に段差部９を設けている。段差部９は、吹出口３の上面を延長されカバー部材７の下端より突出するように、吹出口３の左右方向の全幅に渡って設けられている。これにより、カバー部材７へ吹出口３から送風される冷気が直接吹き付けるのを防止することができるため、露付きを防止することができるものである。あるいは、吹出口３に近接するカバー部材７下方と本体１の隙間から冷気が侵入するのを防止できるため、表示部６の基板等に露付きすることを防止できる。すなわち、このように簡易な構成で、表示部６の長期使用に対する信頼性を向上させることができる。
【００３８】
また、さらに、カバー部材７は、所定の位置で段差部９に接するようにし、カバー部材７が所定の位置（角度）で保持されるようにしている。
【００３９】
これにより、カバー部材７を所定の位置で止めることができるため、メンテナンス時等にカバー部材７と上下風向変更羽根４とが接触するような事態を防止することができる。
【００４０】
以上のように、本実施の形態の構成を取ることにより、メンテナンス等の際に必須となるカバーの着脱を容易にして、これらの作業にかかる負担を軽減することができる。
【００４１】
（実施の形態２）
本実施の形態は、実施の形態１と異なる部分を説明する。本実施の形態では、実施の形態１に加えて、さらに、ダクト１１を、カバー部材７の内部に位置するベース部材１０に収納するようにしたものである。なお、カバー部材７は、本体１の中央部に設けられた表示部６のみを覆う幅を有するものではなく、本体１の全幅にわたる幅を有している。
【００４２】
図４は本実施の形態を示す図であり、ベース部材１０を本体１から取り外した図である。図４に示すように、ベース部材１０は上方に清掃装置１２を備えている。さらに、清掃装置１２はその端部にダクト１１を接続するようにしている。さらに、清掃装置１２に接続される管状のダクト１１は、カバー部材７の本体側とベース部材１０の室内側との間に配置されている。
【００４３】
そして、エアフィルタ１５の清掃時には清掃装置１２がベース部材１０の左右方向に動作する。この際、清掃装置１２とダクト１１とは接続されたまま、ダクト１１の湾曲位置が変わるようにして左右方向に動作する。
【００４４】
エアフィルタ１５の清掃は、例えば、可動終了時ごととか、一定時間ごととかで行われるものであるが、長年の使用によりダクト１１のメンテナンスが必要となるものである。
【００４５】
これに対し、本実施の形態に示す構成とすることにより、カバー部材７の他端側が簡単に開放されるとともに、開放された位置にダクト１１が位置することになるので、容易に内部を確認できるとともに、必要があれば交換等の作業ができるものである。
【００４６】
（実施の形態３）
図５は、本実施の形態に係る空気調和機における室内機の断面図を示すものである。図５に示すように、本体１は、内部に熱交換器１３、送風ファン１４を備えている。また、本体１は、上方および前方に開口部２を、下方に吹出口３をそれぞれ有しており、開口部２から吸い込んだ空気は熱交換器１３を通過し、吹出口３から室内に送風するように構成されている。開口部２と熱交換器１３との間には、熱交換器１３を通過する空気の粉塵を除去するためにエアフィルタ１５が設けられている。
【００４７】
また、吹出口３には上下風向変更羽根４が備えられており、室内へ送風する際の上下方向の位置を変更することができる。また、さらに本体１は前面には、本体１の前面を覆うように構成される前面パネル５も備えられている。なお、本実施の形態の前面パネル５は、実施の形態１の前面パネル５と異なり、空気調和機の運転時に可動することのない固定式のものである。
【００４８】
また、本体１は、吹出口３の上方であって前方側に、表示部６が設けられている。表示部６は前面パネル５の下端より下方に位置している。表示部６は内部に基板を備えており、本体１の稼働状況を表示したり、リモコンからの電波を受信したりするものである。表示部６に用いられる電気部品が配置された基板は、カバー部材７の背面側に保持されている。
【００４９】
図６は、本実施の形態に係る空気調和機の前面パネル５を開いた状態を示す室内機の断面図である。また、図７は、本実施の形態に係る空気調和機のカバー部材７を開いた状態を示す室内機の断面図である。図６に示すように、前面パネル５は、本体１の前面上方隅部に設けられたパネル軸（図示せず）を中心として、本体１に軸支されている。これにより、前面パネル５は、パネル軸を中心として上方へ開閉可能となっている。前面パネル５を開くことで、前面パネル５の背面側に設けられたエアフィルタ１５をメンテナンスすることができる。
【００５０】
また、カバー部材７は、吹出口３を閉じた状態における上下風向変更羽根４の最も上端より上方に位置するカバー軸８を中心として、本体側の一端が本体１に軸支されるようにして構成されている。カバー部材７は表示部６に用いられる基板や電気部品とともに、図６中の矢印方向に回転し、カバー部材７を完全に取り外さない状態であっても、カバー部材７の他端側が開口する。このため、表示部６の内部や背面側に設けられている基板の状況を確認したり、必要であれば交換したりすることができるものである。
【００５１】
本実施の形態では、カバー部材７は、下端側が本体１に軸支されているため、カバー部材７は、前方かつ下方へ開閉可能となっている。前面パネル５を前面枠５ａとともに上方に開き、カバー部材７を下方に開くことで、吹出口３の上部から本体１の前面上方までを
開口することができ、エアフィルタ１５や表示部６等をメンテナンスすることが容易になる。
【００５２】
特に、図６に示すように、カバー部材７を閉じた状態では、カバー部材７の上端は、エアフィルタ１５の下端より上方に設けられている。しかし、カバー部材７を開いた状態では、図７に示すように、カバー部材７は、エアフィルタ１５の下端より下方に位置するようになるため、エアフィルタ１５の下端と本体１との係合をはずしたり、エアフィルタ１５の下端を前方に引き出すことで、エアフィルタ１５を本体１から取り外したりすることが、容易にできる。
【００５３】
以上のように、本実施の形態の構成を取ることにより、メンテナンス等の際に必須となるカバーの着脱を容易にして、これらの作業にかかる負担を軽減することができる。
【００５４】
図８は、カバー部材７付近の断面拡大図である。図８（ａ）は、カバー部材を閉じた状態を示しており、図８（ｂ）は、カバー部材を開いた状態を示している。図８を用いて、カバー部材７の開閉について、さらに説明する。
【００５５】
カバー部材７は両端部の上部に、手または指を掛けてカバー部材７を開くための取手部１６を備えている。取手部１６は、室内機の前面側が開口した略Ｕ字状の取手部本体と、取手部本体に設けられ上方に突出する爪部１７とを有している。一方、室内機の本体１には、爪部１７に相対する位置に爪受部１８が設けられている。
【００５６】
カバー部材７を開ける際には、取手部１６の上端に手または指を掛けて略Ｕ字状の取手部本体を上方から下方に押すことで、略Ｕ字状の部分が弾性変形し、爪部１７と爪受部１８との係合が外れる。そして、そのまま手前に引くことで、カバー部材７を開くことができる。一方、カバー部材７を閉じる際には、カバー部材７全体か取手部１６を前方から押すことで、略Ｕ字状の部分が弾性変形しながら、爪部１７の本体側に設けられた傾斜部上を爪受部１８が摺動する。その後、爪受部１８が爪部１７の端部に到達すれば、爪部１７と爪受部１８とが係合される。このように、カバー部材７に爪部１７を設け、本体１に爪受部１８を設けることで、工具等を用いることなくカバー部材７を開閉することができるためメンテナンス性が向上する。
【００５７】
なお、取手部１６、爪部１７、爪受部１８は、エアフィルタ１５の側端よりさらに外側に設けられていることが、エアフィルタ１５を本体１から取り外すことを容易にする上で望ましい。
【００５８】
図９は、表示部６と接続されるリード線の引き回しを示す室内機の正面要部断面図である。図１０は、カバー部材７のカバー軸８付近の正断面拡大図であり、図１１は、カバー軸８付近の側断面拡大図である。図９から図１１を用いて、表示部６と接続されるリード線の引き回しについて、さらに説明する。
【００５９】
図９に示すように、カバー部材７は、本体１の中央部に設けられた表示部６のみを覆う幅を有するものではなく、本体１に軸受部８３を構成する幅を残し、本体１のほぼ全幅にわたる幅を有している。表示部６に用いられる電気部品が配置された基板は、本体１に設けられた制御装置とリード線１９によって電気的に接続されている。リード線１９は、表示部６付近では、カバー部材７に設けられたリブ２０によって、カバー部材７の上方を位置するように保持される一方、カバー部材７の両端に設けられたカバー軸８のいずれか一方の軸部８１内を通るように引き回されている。
【００６０】
カバー軸８は、カバー部材７の両端の下方に設けられており、カバー部材７の両側から
外側に突出する第１の軸部８１ａと、内側に突出する第２の軸部８１ｂとを有している。第１の軸部８１ａと第２の軸部８１ｂとは略同径の内径を有しており、相互に連通している。また、第２の軸部８１ｂの軸方向長さは、第１の軸部８１ａの軸方向長さより長く構成されている。
【００６１】
カバー部材７は、図１１に示すように、前面側を形成する第１のカバー部材７ａと、背面側を形成する第２のカバー部材７ｂとを有しており、第１のカバー部材７ａには、第１の軸部８１ａと第２の軸部８１ｂの前面側の略半分が一体に形成されており、第２のカバー部材７ｂには、第１の軸部８１ａと第２の軸部８１ｂの背面側の略半分が一体に形成されている。そして、第１のカバー部材７ａと第２のカバー部材７ｂとを組み立てることで、第１の軸部８１ａと第２の軸部８１ｂとは中空の軸部８１として形成される。
【００６２】
一方、本体１は、カバー部材７の側端よりさらに外側に前方に突出する板状の軸受支持部８２を有している。軸受支持部８２は、軸受支持部８２を主に構成する板の平面に対して垂直に突出する略円柱状の軸受部８３を備えている。軸受部８３には、略円柱状の凸部の一部にスリットが設けられているが、第１の軸部８１ａの円周の少なくとも３／４以上を覆うことが望ましい。
【００６３】
そして、第１の軸部８１ａを軸受部８３に挿入することで、カバー部材７は本体１に回転可能に軸支されている。
【００６４】
このような構成によれば、リード線１９はカバー軸８の軸部８１内を通っているため、カバー部材７を開閉させる際に、ねじり応力が作用することはあっても、せん断応力が作用することはないため、繰返しカバー部材７を開閉させたとしても、リード線が断線することを防止できる。
【００６５】
また、第２の軸部８１ｂの軸方向長さは、第１の軸部８１ａの軸方向長さより長いために、リード線１９に局所的にねじり応力がかかることを防止できる。なお、第２の軸部８１ｂの軸方向長さは、第１の軸部８１ａの軸方向長さの約１０倍以上の長さを有していることが、リード線１９に局所的にねじり応力がかかることを防止する上で望ましい。
【００６６】
また、軸部８１は、第１のカバー部材７ａに一体に形成された軸部８１の前面側の略半分と、第２のカバー部材７ｂに一体に形成された軸部８１の背面側の略半分とを組み合わせて構成しているため、リード線１９の先端に軸部８１の内径より大きいコネクタ等が設けられていても、リード線１９を軸部８１内に挟み込むことができるために、容易に軸部８１内にリード線１９を配置することができる。
【００６７】
また、カバー部材７の下方は、吹出口３の上方に位置するため、結露水が付着しやすいが、本実施の形態の構成では、リード線１９と表示部６の基板とは、カバー部材７の上方で接続されているため、結露水により電気的に短絡するといった不具合を防止できる。
【００６８】
（実施の形態４）
本実施の形態は、実施の形態３と異なる部分を説明する。本実施の形態が、実施の形態３と異なる部分は、本体１にカバー部材７を回動可能に保持させるカバー軸８とその周辺の構造である。
【００６９】
図１２は、本実施の形態に係るカバー軸８付近の拡大斜視図である。図１３は、図１２に対応する部分の本体１とカバー部材７の分解斜視図である。なお、図１３は、カバー軸８付近の形状を見やすく図示するために、カバー部材７の長手方向を本体１の長手方向に対して傾斜させて図示している。
【００７０】
図１２、図１３に示すように、カバー部材７は、実施の形態３と異なり、背面側を形成する第２のカバー部材７ｂを備えることなく、前面側を形成する第１のカバー部材７ａから構成されている。
【００７１】
カバー部材７の両端には、カバー部材７の長手方向に対して垂直な側壁７１を備えている。カバー軸８は、カバー部材７の両端の下方に設けられており、側壁７１から外側に突出する軸部８１を有している。軸部８１は、カバー部材７に一体に形成されている。
【００７２】
軸部８１は、断面が略Ｃ字形状の中空の軸である。換言すると、軸部８１は、中空の円柱の外殻の略３／４で構成されており、カバー部材７の前面側に略３／４の部分が位置するように設けられている。つまり、軸部８１の背面側は、スリット状の開口部を備えることとなる。
【００７３】
また、側壁７１の軸部８１の背面側にも、スリット状の開口が設けられている。つまり、軸部８１のスリット状の開口部は、カバー部材７の外部と連通するように構成されている。
【００７４】
一方、本体１は、カバー部材７の側壁７１よりさらに外側に位置するように前方に突出する板状の軸受支持部８２を有している。軸受支持部８２は、軸受支持部８２から外側に突出する略円柱状の軸受部８３を備えている。軸受部８３には、略円柱状の凸部であり、その上方にはスリット状の開口部が設けられている。また、軸受支持部８２は、軸受部８３の上部に、軸受部８３の径より大きい径を有する穴部８４を備えている。軸受部８３のスリット状の開口部と穴部８４とは連通している。
【００７５】
穴部８４の周囲には、軸受部８３との連通部分を除いて、軸受支持部８２から外側に突出するリブ８４ａが設けられている。これによって、軸受支持部８２の剛性が確保できる。
【００７６】
以上のように構成された本実施の形態における、カバー軸８内へのリード線１９の着脱について、図１４を用いて説明する。
【００７７】
図１４は、カバー軸８付近の断面拡大図である。図１４（ａ）は、カバー部材７を開いた状態を示しており、図１４（ｂ）は、カバー部材７を閉じた状態を示している。
【００７８】
図１４（ａ）に示すように、カバー部材７を開いた状態では、軸部８１に設けられたスリット状の開口部と、軸受部８３に設けられたスリット状の開口部が一致する。このため、穴部８４、軸受部８３のスリット状の開口部、軸部８１のスリット状の開口部がそれぞれ連通する。これによって、リード線１９を穴部８４に通した後、軸受部８３の開口部を介して、軸部８１内に容易に挿入できる。また、穴部８４の内径は、軸部８１や軸受部８３の内径より大きくなっているため、リード線１９の先端に軸部８１の内径より大きいコネクタ等が設けられていても、コネクタ等を穴部８４に容易に通すことができる。このため、リード線１９を軸部８１内に着脱する際の作業性を向上させることができる。これによって、空気調和機のメンテナンス性を向上させることができる。
【００７９】
図１４（ｂ）に示すように、カバー部材７を閉じた状態では、軸部８１に設けられたスリット状の開口部と、軸受部８３に設けられたスリット状の開口部とが一致せず、穴部８４、軸部８１のスリット状の開口部は連通することがない。これによって、カバー部材７を閉じた状態では、リード線１９が軸部８１内から抜け出ることを防止できる。
【００８０】
また、カバー部材７を閉じた状態では、穴部８４の大部分は、側壁７１によって塞がれる。このため、穴部８４からカバー部材７内に粉塵等が侵入することを防止できる。
【００８１】
本実施の形態によれば、カバー部材７を開いてエアフィルタ１５や表示部６等のメンテナンスが必要な際には、リード線１９を軸部８１の軸内に容易に着脱でき、メンテナンスを行っていない、カバー部材７を閉じた状態では、不用意にリード線１９が軸部８１の軸内から抜け出ることを防止できる。また、リード線１９はカバー軸８の軸部８１内を通っているため、カバー部材７を開閉させる際に、せん断応力が作用することがなく、リード線が断線することを防止できる。このため、空気調和機のメンテナンス性を向上させることができる。
【産業上の利用可能性】
【００８２】
本発明の空気調和機は、複雑な構成を取ることなくメンテナンス性を向上させることができるため、業務用及び一般家庭等で使用される空気調和機として有用である。
【符号の説明】
【００８３】
１  本体
２  開口部
３  吹出口
４  上下風向変更羽根
５  前面パネル
６  表示部
７  カバー部材
７ａ  第１のカバー部材
７ｂ  第２のカバー部材
８  カバー軸
９  段差部
１０  ベース部材
１１  ダクト
１２  清掃装置
１３  熱交換器
１４  送風ファン
１５  エアフィルタ
１６  取手部
１７  爪部
１８  爪受部
１９  リード線
２０  リブ
７１  側壁
８１  軸部
８１ａ  第１の軸部
８１ｂ  第２の軸部
８２  軸受支持部
８３  軸受部
８４  穴部
８４ａ  リブ
【図１】
2015155788.tif 000003
【図２】
2015155788.tif 000004
【図３】
2015155788.tif 000005
【図４】
2015155788.tif 000006
【図５】
2015155788.tif 000007
【図６】
2015155788.tif 000008
【図７】
2015155788.tif 000009
【図８】
2015155788.tif 000010
【図９】
2015155788.tif 000011
【図１０】
2015155788.tif 000012
【図１１】
2015155788.tif 000013
【図１２】
2015155788.tif 000014
【図１３】
2015155788.tif 000015
【図１４】
2015155788.tif 000016
【図１５】
2015155788.tif 000017